【事件の表示】
　昭和６３年特許願第１７７１８３号「画像編集装置およびその制御方法」拒絶査定に対する審判事件［平成　２年　１月３０日出願公開、特開平　２−　２７４８３　］について、次のとおり審決する。
【結　論】
　本件審判の請求は、成り立たない。
【理　由】
１．手続の経緯・本願発明
　本願は昭和６３年７月１８日に出願され、平成７年６月３０日に手続補正がなされ、平成９年１２月１８日付けで拒絶理由が通知され、平成１０年３月２３日に手続補正がなされ、平成１０年５月２５日に２度目の拒絶理由が通知され、平成１０年８月１７日に手続補正書が提出されたが、同手続補正は平成１０年９月２５日に却下され、平成１１年１月２９日に、平成１０年５月２５日付け拒絶理由通知書に記載した理由により拒絶の査定がなされたところ、平成１１年３月１８日付けで審判請求がなされ、平成１１年４月１３日付けで手続き補正書が提出された。その後、前置審査において平成１１年５月２８日付けで拒絶理由通知書を送付したが、平成１１年７月１５日付け手続補正書により明細書が補正された。
　なお、平成１０年９月２５日付け補正却下は確定している。
　そして、本願請求項に係る発明は、上記平成１１年７月１５日付け手続補正書にて補正された特許請求の範囲に記載されたとおりのものと認められるところ、その請求項１に係る発明（以下、本願発明１という）は以下のものである。
　　　　　　　　記
　複数の画像を記憶する画像記憶手段と、前記画像記憶手段に記憶された夫々の画像の輪郭を抽出する輪郭抽出手段と、前記輪郭抽出手段で抽出された夫々の輪郭に基づき、前記記憶手段に記憶されている複数の画像から夫々の輪郭により囲まれた画像を抽出し、これらの画像の夫々の重なり順序に基づいて、表示画面に表示する表示制御手段と、前記表示画面に表示されている複数の画像のなかから所望の画像を指示する指示手段と、前記指示手段により指示された画像を、前記表示画面上の他の画像よりも前に表示する変更手段とを有することを特徴とする画像編集装置。
　　
２．前置審査における拒絶理由
　前置審査において、平成１１年５月２８日付けで通知した拒絶の理由の概要は、本願請求項１及び２に係る発明は、本願出願前公知の特開昭６１−２７５７９２号公報（以下、刊行物１という）、特開昭６２−２４７４７３号公報（以下、刊行物２という）及び特開昭６０−２３２５９６号公報（以下、刊行物３という）に記載された発明に基づき当業者が容易に発明をすることができたものであるから、特許法第２９条第２項の規定により特許を受けることができないというものである。
　
３．各刊行物の記載事項
　上記刊行物１には以下のとおりの記載がある。
　「第１図は本発明に係る一実施例の表示装置の構成図を示したもので、この例では３画面を表示する場合の構成を示している。
　図中10は装置全体を制御する制御部で、マイクロプロセツサ100やROM101、RAM102等を備えている。11,21,31は各画面に対応したマスクメモリ、12,22,32は各画面に対応した表示メモリで、これらはいずれも各メモリの１ビツトが画面の１ビツトに対応し、各表示メモリ12,22,32のビツトが１のときはそのドツトが点灯し、ビツトが０のときは消灯するようになつていて、各々のメモリは画面のドツトサイズ分の容量を有している。また各マスクメモリ11,21,31のビツトが１のときはその画面より下の画面の情報を有効にし、０のときは下の画面の情報を無効にして、その画面の表示情報を有効にすることを意味している。
　30は上記３画面分の表示メモリとマスクメモリの表示順序、即ち重ね合わせ順序を決定するマトリクス回路で、ｎ画面が表示可能な場合にはｎ×ｎビツト、本例の３画面の場合には３×３ビツトのメモリ33を有し、上記３画面分のマスク情報ビツト（M1,M2,M3）、表示情報ビツト（P1,P2,P3）を入れ換えて３画面分の出力（AM1〜AM3,AP1〜AP3）を出力する。41,42は重ね合わせ回路、43はCRT等の表示部、60はメモリ33を書き換えるバスラインである。
　・・
　AP1＝P2,AP2＝P1,AP3＝P3となり重ね合わせ順序をP2,P1,P3の順序で行なう様に、重ね合わせ回路41,42に出力した事になる。同様の変換は（M1,M2,M3）→（AM1,AM2,AM3）に対しても行なわれる。
　第２図は上記重ね合わせ順序で表示した画面の一例を示したもので、上記の順序に従いP3の情報を表示する画面13、P1の情報を表示する画面14、P2の情報を表示する画面15の順に表示されている。
［マトリクス回路の説明（第１図）（第３図）］
第３図は上記マトリクス演算を実現するマトリクス回路30の例である。図中、A11〜A33は３×３のマトリクスを記憶するメモリ33の各１ビツトを示し、入力P1,P2,P3は３画面分の表示メモリ12,22,32からの入力、AP1,AP2,AP3が入れ換え後の３画面の出力データである。300〜308はANDゲート回路、309〜311はORゲート回路である。また各マスクメモリ11,21,31よりの入力情報M1,M2,M3も第３図の回路と全く同様の回路構成の回路により変換され、前述と同様の変換マトリクス（Aij）の場合はAM1＝M2,AM2＝M1,AM3＝M3となる。
　このマトリクス回路30によりA11〜A33の値に応じて、３画面分の入力情報P1,M1、P2,M2、P3,M3は順序が入れ換えられ、AP1,AM1,AP2,AM2,AP3,AM3となつて出力される。AP1,AM1は最も下になる画面であるため、それより下の面の情報の有効、無効を決めるAM1の信号は不要である。
　41は第１面のAP1の上に第２面を重ねた情報（（AP1　AP2）　AP2）を作り、又42はさらにその上に第３面を重ねた情報（（AP1　AM2）　AP2）　AM3）　AP3）を作り、表示部43に送る重ね合わせ回路である。この様にして、表示部43には目的の順序で重ね合わせられた表示情報が送られる。
　一方、制御部10は51,52,53のデータバスを通じて３つの表示メモリ12,22,32及びマスクメモリ11,21,31を読み書きでき表示部の表示内容を変更する事ができる。又、60のデータバスを通じて第３図のマトリクス回路30のメモリ33のマトリクス情報A11〜A33を書き換える事ができ、その事により前述した作用に基づき画面の重ね合わせ順序即ち表示順序を変更する事ができる。」（公報３頁左上欄６行−４頁左下欄４行）
　
　上記刊行物２には以下のとおりの記載がある。
　「処理内容は以下となる。
　（１）は先ずＣＰＵ20は、マスクメモリ15にマスクパターンＡ１を格納する。マスクパターンＡ１は、画像Ａ２、Ａ３の全体が内部に入るような大きさに設定する。このマスクパターンＡ１は、該パターンより外部のマスク情報を”１”該パターンより内部のマスク情報を”０”としたものである。更に、背景レジスタ16、閾値レジスタ17に背景情報、閾値ＴＨを格納する。閾値ＴＨは、パターンＡ２、Ａ３の輪郭を抽出できる値とする。また、背景情報は、２値化した際の輪郭部分と逆の値とした。
　（２）多値画像メモリ14からの画像データを読出しマスクメモリ15のマスク情報を利用してマスク処理を行う。更に、背景レジスタ16の背景情報による背景処理、レジスタ17の閾値による２値化処理を行う。この２値化データを２値化メモリ19に格納する。
　（３）ＣＰＵ20が２値化メモリ19の内容を読出し、ワークメモリ21を利用してパターン切出しを行う。この切出しは、２値化メモリ19の中のデータを走査し、”１”の情報（又は”０”の情報）のみを選択すればよい。この切出しにより、パターン２Ａ及び３Ａを抽出できる。
　（４）処理対象をパターン２Ａとし、このパターン２Ａの輪郭部分を追跡し、輪郭部分の画面座標値を取出す。この処理もＣＰＵ20が行う。
　（５）取出した輪郭座標をマスクメモリ15上に展開し、輪郭外部を”１”輪郭内部を”０”にする新しいマスクパターンを得る。この処理はＣＰＵ20がワークメモリ21の内容を利用して行う。新しいマスクパターンはマスクメモリ15に前回のマスクパターンに代って格納する。」（公報２頁右下欄１５行−３頁右上欄７行）
　上記刊行物３には以下のとおりの記載がある。
　「本発明は、マルチウインドウ表示方式に係り、主として、表示画面上に、分離あるいは重畳したウインドウを作成し、消去し、また、ウインドウ同士の重畳関係を変更する際などに有効な方式に関する」（公報１頁左下欄１７行−右下欄１行）
　「第４図のウインドウ４１０を選択し、一番上に表示させるためには、カーソルをウインドウ４１０の表示されている部分に合わせ、ウインドウ選択キー２３０を押下する。この時、第５図のように表示が変更される」（公報２頁左下欄５−９行）
　「第３図〜第７図はそれぞれ本発明の処理を説明するための表示例を示す説明図」（公報６頁右下欄１４−１５行）
　そして、上記記載を参酌すると、第４図は、重なり合う矩形の表示状態として、４１０が最も下の画像であり、４３０が最も上の画像であり、４２０がその間に表示される画像であることが記載されており、また、第５図は、同表示状態として、４２０が最も下の画像であり、４１０が最も上の画像であり、４３０がその間に表示される画像であることが記載されているものであることが見て取れる。
　
４．対比・判断
　刊行物１には、結局、「複数の画像を記憶する表示メモリと、表示メモリ及びマスクメモリのそれぞれの重ね合わせ順序を表す情報ビット（Ｐ１乃至Ｐ３、及びＭ１乃至Ｍ３）に基づき表示部に表示する表示を制御する手段（表示制御部、マトリクス回路、重ね合わせ部）と、前記表示部に表示されている複数の画像の中から、上記情報ビットを制御することにより、表示順序を変更することができる変更手段を有する画像表示装置」が記載されている。
　上記刊行物１記載のものにおいて、表示順序が変更可能であるということは、所望の画像を他の画像よりも前に表示できるようにすることも当然意味するものであるから、上記刊行物１に記載された発明と本願発明１とを対比すると、上記刊行物１に記載された「複数の画像を記憶する表示メモリ」、「表示メモリ及びマスクメモリのそれぞれの重ね合わせ順序を表す情報ビット（Ｐ１乃至Ｐ３、及びＭ１乃至Ｍ３）に基づき表示部に表示する表示を制御する手段（表示制御部、マトリクス回路、重ね合わせ部）」、「前記表示部に表示されている複数の画像の中から、上記情報ビットを制御することにより、表示順序を変更することができる変更手段」、「画像表示装置」は本願発明１の「複数の画像を記憶する画像記憶手段」、「これらの画像の夫々の重なり順序に基づいて、表示画面に表示する表示制御手段」、「前記表示画面に表示されている複数の画像のなかから所望の画像を、前記表示画面上の他の画像よりも前に表示する変更手段」、「画像編集装置」に相当する。
　したがって、本願発明１と上記刊行物１に記載された発明とは「複数の画像を記憶する画像記憶手段と、これらの画像の夫々の重なり順序に基づいて、表示画面に表示する表示制御手段と、前記表示画面に表示されている複数の画像のなかから所望の画像を、前記表示画面上の他の画像よりも前に表示する変更手段とを有することを特徴とする画像編集装置」の点で一致し、以下の相違点で相違する。
　
（相違点）
ａ．本願発明１は「前記画像記憶手段に記憶された夫々の画像の輪郭を抽出する輪郭抽出手段と、前記輪郭抽出手段で抽出された夫々の輪郭に基づき、前記記憶手段に記憶されている複数の画像から夫々の輪郭により囲まれた画像を抽出し」ているのに対し、上記刊行物１に記載された発明では「マスクメモリに記憶されたマスクデータ」の記載はあるものの上記記載はない点。
ｂ．本願発明１のものは「前記表示画面に表示されている複数の画像のなかから所望の画像を指示する指示手段」を有し、他の画像よりも前に表示する画像が、「前記指示手段により指示された画像」であるのに対し、上記刊行物１に記載されたものは「指示手段」及び、どのように表示順序を変更する画像を選択するかについて格別の記載がない点。
　
ｉ）相違点ａについて
　本願発明において「前記画像記憶手段に記憶された夫々の画像の輪郭を抽出する輪郭抽出手段と、前記輪郭抽出手段で抽出された夫々の輪郭に基づき、前記記憶手段に記憶されている複数の画像から夫々の輪郭により囲まれた画像を抽出」するのはその実施例を参酌すると、画像記憶手段に記憶された画像から、当該画像に対応するマスク領域を得るためである。
　一方、上記刊行物１に記載されたマスクデータも、表示メモリに記憶された表示画像に対応したマスクデータであることは当業者には自明のことである。
　そして、画像を処理する装置において、所望のマスクデータを得るとき、「画像記憶手段に記憶された画像の輪郭を抽出する輪郭抽出手段と、前記輪郭抽出手段で抽出された輪郭に基づき、前記記憶手段に記憶されている画像から輪郭により囲まれた画像を抽出し」マスクデータとするものは上記刊行物２に記載されている。
　そして、上記刊行物１に記載されたものは「複数の表示メモリ」に記憶された画像情報及び「複数のマスクメモリ」に記憶されたマスクデータから画像表示を行うものであるから、上記刊行物１に記載されたマスクデータを形成するにあたり、上記刊行物２に記載された輪郭抽出を、上記複数の表示メモリに記憶された画像に適用し、複数のマスクデータを形成することは当業者が容易になし得たことである。
　
ii）相違点ｂについて
　上記刊行物３には重ね合わせ表示を行う画像表示装置において、その重ね合わせの順序を変更するとき、他の画像よりも前に表示したい画像を指示手段により指示し、そのことにより指示された画像を他の画像よりも前に表示する表示手段が記載されている。したがって、上記刊行物１に記載されたものに、上記刊行物３に記載された発明を転用することにより、画像表示の重ね合わせの順番を変更できるようにすることは当業者が容易になし得たことである。
　また、本願発明１が奏する作用効果は上記刊行物１乃至３に記載された発明から当業者が予測し得る程度のものである。
　
５．むすび
　以上のとおりであるから、本願発明１は上記刊行物１乃至３に記載の発明から当業者が容易に発明をすることができたものであり、特許法第２９条第２項の規定により特許を受けることができない。
　
　よって、結論のとおり審決する。